(57)【要約】【課題】  ネジを使用せずにユニットの外れを防止できる温風暖房機を提供する。【解決手段】    温風暖房機本体１内に固定される操作部取り付け金具１９に、受信部ユニット１２の差し込み爪１５と引っ掛け爪１８が差し込まれる差し込み爪用孔２６と引っ掛け爪用孔２７が形成され、前記操作部ユニット６の一端が差し込み爪用孔２６上に位置して差し込み爪用孔２６に嵌合した差し込み爪１５に近接するので、差し込み爪１５に何らかの荷重がかかって押し曲げられようとすると、差し込み爪１５が操作部ユニット６の固定部１１の先端に当接し、それにより差し込み爪１５のくさび状の部分が差し込み爪用孔２６から外れず、差し込み爪１５が外れるのを防止できるものである。【選択図】  図９
2015081737.tif 000002
【特許請求の範囲】
【請求項１】
本体内に固定される操作部取り付け金具に、操作部ユニットと受信部ユニットとを取り付けるものに於いて、前記操作部取り付け金具に受信部ユニットの差し込み爪と引っ掛け爪が差し込まれる差し込み爪用孔と引っ掛け爪用孔が形成され、前記操作部ユニットの一端が差し込み爪用孔上に位置して差し込み爪用孔に嵌合した差し込み爪に近接することを特徴とする温風暖房機。
【請求項２】
前記引っ掛け爪は、略Ｌ字状の引っ掛け部と、該引っ掛け部の基部の引っ掛け部基部とからなり、該引っ掛け部基部を引っ掛け爪用孔と略同寸法に設けたことを特徴とする請求項１記載の温風暖房機。
【発明の詳細な説明】
【技術分野】
【０００１】
この発明は、温風を吹き出して室内を暖房する温風暖房機に関するものである。
【背景技術】
【０００２】
従来、この種のものに於いては、樹脂ケースの背面側一部にガイド爪を設け、その爪の両側に切込みを設けるとともに、その周側面の段部にくさび形のリブを複数個設け、さらに器体内に固定した取付板に前記ガイド爪を挿入する角穴を設け、リブと対向する器体外板の窓穴の周囲の一部に樹脂ケースのリブの傾斜に合せた傾斜部を設けたものがあった。（例えば特許文献１参照）
【０００３】
又、ワイヤレスリモコンが温風暖房機本体に着脱自在に装着されるものでは、温風暖房機本体の前面パネルの右側上方部にホルダーを設け、該ホルダーに形成されているリモコン装着部の中央より上方に、ワイヤレスリモコンからの赤外線を受光するための受光部を有し、前記リモコン装着部の外周に設けた複数の角孔を、前面パネルに設けられている複数の爪と嵌合させて、ホルダーを前面パネルに固定するものがあった。（例えば特許文献２参照）
【先行技術文献】
【特許文献】
【０００４】
【特許文献１】実開平５−２５６１９号公報
【特許文献２】特開２００１−３４９６１２号公報
【発明の概要】
【発明が解決しようとする課題】
【０００５】
ところで、この従来のものでは、角孔に爪を嵌合させることで固定するが、この固定された状態で爪に何らかの荷重がかかった時、角孔から爪が外れてしまうという問題があった。
【課題を解決するための手段】
【０００６】
上記課題を解決するために、本発明の請求項１では、本体内に固定される操作部取り付け金具に、操作部ユニットと受信部ユニットとを取り付けるものに於いて、前記操作部取り付け金具に受信部ユニットの差し込み爪と引っ掛け爪が差し込まれる差し込み爪用孔と引っ掛け爪用孔が形成され、前記操作部ユニットの一端が差し込み爪用孔上に位置して差し込み爪用孔に嵌合した差し込み爪に近接するものである。
【０００７】
また、請求項２では、前記引っ掛け爪は、略Ｌ字状の引っ掛け部と、該引っ掛け部の基部の引っ掛け部基部とからなり、該引っ掛け部基部を引っ掛け爪用孔と略同寸法に設けたものである。
【発明の効果】
【０００８】
この発明の請求項１によれば、操作部取り付け金具に受信部ユニットの差し込み爪と引っ掛け爪が差し込まれる差し込み爪用孔と引っ掛け爪用孔が形成され、前記操作部ユニットの一端が差し込み爪用孔上に位置して差し込み爪用孔に嵌合した差し込み爪に近接するので、差し込み爪に何らかの荷重がかかって押し曲げられようとすると、差し込み爪が操作部ユニットの固定部の先端に当接し、それにより差し込み爪のくさび状の部分が差し込み爪用孔から外れず、差し込み爪が外れるのを防止できるものである。
【０００９】
また、請求項２によれば、引っ掛け爪は、略Ｌ字状の引っ掛け部と、該引っ掛け部の基部の引っ掛け部基部とからなり、該引っ掛け部基部を引っ掛け爪用孔と略同寸法に設けたので、引っ掛け爪用孔に引っ掛け爪を取り付けた時、引っ掛け爪の引っ掛け部基部が引っ掛け爪用孔と係合するので、引っ掛け爪が引っ掛け爪用孔から外れる方向に動くことがなく、引っ掛け爪が外れるのを防止できるものである。
【図面の簡単な説明】
【００１０】
【図１】この発明の一実施形態の正面図。
【図２】同前パネルを外した状態の正面図。
【図３】同操作部ユニットの正面図。
【図４】同平面図。
【図５】同受信部ユニット正面図気化筒の平面図。
【図６】同平面図。
【図７】同操作部取り付け金具の平面図。
【図８】同平面図。
【図９】同操作部取り付け金具に操作部ユニットと受信部ユニットを取り付けた状態の要部断面図。
【発明を実施するための形態】
【００１１】
次にこの発明に係る温風暖房機を図面に示す一実施例で説明する。
１は略直方体状の温風暖房機本体で、正面の前パネル２の略中央には温風吹き出し口（図示せず）を開閉する開閉シャッター３が設けられると共に、前パネル２の上部略中央には設定温度や室温などの温度や時刻、警報、その他の情報を表示する表示部ユニット４が設けられ、更に前パネル２の上部右側にはリモコン（図示せず）を操作した時の信号を受信する受信センサ５が設けられているものである。
【００１２】
６は操作部ユニットで、合成樹脂からなる操作部本体７と、該操作部本体７の上面に取り付けられ、運転スイッチ８等の各種スイッチが設けられたスイッチ部９とからなり、前記操作部本体７の両端には固定ネジ用孔１０が形成された固定部１１が設けられているものである。
【００１３】
１２は合成樹脂からなる受信部ユニットで、受信センサ５を備えた受信基板（図示せず）を取り付ける基板取り付け部１３と、該基板取り付け部１３の上部に設けられた受信部取り付け部１４とからなり、該受信部取り付け部１４の温風暖房機本体１の外側方向には、略くさび状の差し込み爪１５を設けると共に、温風暖房機本体１の内側方向には、略Ｌ字状の引っ掛け部１６と該引っ掛け部１６の基部の引っ掛け部基部１７とからなる引っ掛け爪１８が設けられているものである。
【００１４】
１９は操作部取り付け金具で、垂直面で構成され、温風暖房機本体１の枠にネジ（図示せず）にて固定される本体枠取付面２０と、該本体枠取付面２０に対して水平面で構成され、操作部ユニット６を取り付ける操作部取付面２１と、該操作部取付面２１に対して垂直面で構成され、略中央に表示部ユニット４を取り付ける表示部取付面２２と、操作部取付面２１の両端に形成され、温風暖房機本体１の枠にネジ（図示せず）にて固定される側部取付面２３とからなり、前記操作部取付面２１の両端には操作部６をネジ２４にて固定するための操作固定孔２５が形成され、前記操作部取付面２１の右端部分には、受信部１２の差し込み爪１５が差し込まれる差し込み爪用孔２６と、受信部１２の引っ掛け爪１８が差し込まれる引っ掛け爪用孔２７が形成されているものである。
【００１５】
次に、本実施例の受信部１２の取り付け構造について説明する。
まず、温風暖房機本体１の枠に操作部取り付け金具１９をネジにて固定し、この固定された操作部取り付け金具１９の引っ掛け爪用孔２７に受信部ユニット１２の引っ掛け爪１８の引っ掛け部１６を差し込んで、引っ掛け爪１８の引っ掛け部１６が引っ掛け爪用孔２７に引っ掛かった状態で、差し込み爪用孔２６に受信部ユニット１２の差し込み爪１５を差し込んで、操作部取り付け金具１９に受信部１２を固定する。
【００１６】
この時、差し込み爪１５は先端部分が略くさび状なので、差し込み爪用孔２６に差し込んだ時、差し込み爪用孔２６が差し込み爪１５のくさび状の部分に当接して差し込み爪１５を押し曲げ、差し込み爪１５を所定の位置まで差し込むと、差し込み爪１５のくさび状の部分に当接していた差し込み爪用孔２６がくさび状の首部分の細いところに位置し、差し込み爪用孔２６に押し曲げられていた差し込み爪１５が元の状態に戻ることで、差し込み爪１５が差し込み爪用孔２６から抜けなくなり、受信部ユニット１２が操作部取り付け金具１９に固定されるものである。
【００１７】
又、この時、引っ掛け爪１８は、引っ掛け爪用孔２７の寸法と略同寸法の引っ掛け部基部１７が引っ掛け爪用孔２７と係合するので、引っ掛け爪１８が引っ掛け爪用孔２７から外れる方向に動くことがなく、引っ掛け爪１８が外れるのを防止できるものである。
【００１８】
そして次に、操作部ユニット６を操作部取り付け金具１９の操作部取付面２１の上に置いて、操作部ユニット６の固定部１１の固定ネジ用孔１０にネジ２４を差し込んで、ネジ２４にて操作部６を操作部取り付け金具１９に取り付ける。
【００１９】
この時、操作部ユニット６の固定部１１の先端と差し込み爪１５との隙間は約０．５ｍｍとなり、差し込み爪１５に何らかの荷重がかかって押し曲げられようとすると、差し込み爪１５が操作部ユニット６の固定部１１の先端に当接し、それにより差し込み爪１５のくさび状の部分が差し込み爪用孔２６から外れず、差し込み爪１５が外れるのを防止できるものである。
【００２０】
以上のように、角孔に爪を嵌合させることで固定する構造で、引っ掛け爪用孔２７に引っ掛け爪１８を嵌合させることで固定する構造では、引っ掛け爪１８の基部の引っ掛け部基部１７が引っ掛け爪用孔２７の寸法と略同寸法で、この引っ掛け部基部１７が引っ掛け爪用孔２７と係合するので、引っ掛け爪１８が引っ掛け爪用孔２７から外れる方向に動くことがなく、引っ掛け爪１８が外れるのを防止できるものである。
【００２１】
又、差し込み爪用孔２６に差し込み爪１５を嵌合させることで固定する構造では、差し込み爪１５に何らかの荷重がかかって押し曲げられようとすると、差し込み爪１５が操作部６の固定部１１の先端に当接し、それにより差し込み爪１５のくさび状の部分が差し込み爪用孔２６から外れず、差し込み爪１５が外れるのを防止できるものである。
【００２２】
したがって、ネジ等で直接受信部１２を操作部取り付け金具１９に取り付けることなく、受信部ユニット１２が操作部取り付け金具１９から外れるのを防止できるものである。
【符号の説明】
【００２３】
１  温風暖房機本体
６  操作部ユニット
１２  受信部ユニット
１５  差し込み爪
１８  引っ掛け爪
１９  操作部取り付け金具
２６  差し込み爪用孔
２７  引っ掛け爪用孔
【図１】
2015081737.tif 000003
【図２】
2015081737.tif 000004
【図３】
2015081737.tif 000005
【図４】
2015081737.tif 000006
【図５】
2015081737.tif 000007
【図６】
2015081737.tif 000008
【図７】
2015081737.tif 000009
【図８】
2015081737.tif 000010
【図９】
2015081737.tif 000011